(57)【要約】      （修正有）【課題】動作不能なインクジェットの合成色印刷の完全性を維持するシステムおよび方法を提供する。【解決手段】計算デバイスおよびプリンタを含み、印刷ジョブを取得して画素ビットマップを再構築してよい。さらに、印字ヘッドに配置される個々のインクジェットと関連付けられる出力信号を生成し、動作不能なインクジェットを示してインクジェットの補正を補助するよう構成されるセンサを含んでよい。【選択図】なし【特許請求の範囲】
【請求項１】
印刷された合成色における測色および色相を維持するためのシステムであって、
第１の色平面および第１の画素に対する第１のコントーン補正を表すビットマップを取得するよう構成されるプリンタと、
第１の動作不能な色平面を表す出力信号を生成するよう構成されるセンサと、
第２の隣接する色平面およびコントーンを制御して前記第１の動作不能な色平面を補正するよう構成され、かつ、少なくとも１つの動作可能な色平面を前記第１の画素で補正するよう構成される、コントローラと、
を備える、システム。
【請求項２】
前記コントローラは前記第２の隣接する色平面を制御して、前記第１の動作不能な色平面を、前記隣接するラスタ列における全ての動作可能および動作不能な色平面を動作不能として取り扱うことにより補正する、請求項１に記載のシステム。
【請求項３】
前記合成色の前記色相に関連する前記コントローラに対して出力信号を生成する光センサをさらに備え、前記コントローラは、前記第２の隣接する色平面補正を評価または補正するよう構成される、請求項１に記載のシステム。
【請求項４】
前記コントローラは、動作不能なインクジェットに残る印刷不能なインクの前記レベルの変化の割合、または、動作可能なインクジェットにおける印刷可能なインクの前記レベルの変化の割合を判定して、動作不能なインクジェットを判定する、請求項１に記載のシステム。
【請求項５】
印刷される合成色における測色および色相を維持するための方法であって、
第１の色平面および第１の画素に対する第１のコントーン補正を表すビットマップを取得することと、
第１の動作不能な色平面を表す出力信号を生成することと、
第２の隣接する色平面およびコントーンを制御して前記第１の動作不能な色平面を補正し、かつ、少なくとも１つの動作可能な色平面を前記第１の画素で補正するよう構成されることと、
を備える、方法。
【請求項６】
前記第２の隣接する色平面を制御することは、前記第１の動作不能な色平面を、前記隣接するラスタ列における全ての動作可能および動作不能な色平面を動作不能として取り扱うことにより補正する、請求項５に記載の方法。
【請求項７】
前記コントローラは、動作不能なインクジェットに残る印刷不能なインクの前記レベルの変化の割合、または、動作可能なインクジェットにおける印刷可能なインクの前記レベルの変化の割合を判定して、どのインクジェットが動作不能か判定する、請求項５に記載の方法。
【請求項８】
ＩＪＣの実装を、ＩＪＣにより欠損として処理される作動中ラスタに残るインクと比較される、動作不能なインクジェットからの残る印刷不能なインクのレベルを精査することにより評価すること、
をさらに備える、請求項５に記載の方法。
【請求項９】
ハーフトーン印刷プロセスにおいて印刷された合成色の測色および色相を維持するための方法であって、前記方法は、
第１の色平面および第１の画素に対する第１のハーフトーン前の補正を表すビットマップを取得することと、
第１の動作不能な色平面を表す出力信号を生成することと、
第２の隣接する色平面およびハーフトーン後を制御して前記第１の動作不能な色平面を補正し、かつ、少なくとも１つの動作可能な色平面を前記第１の画素で補正するよう構成されることと、
を備える、方法。
【請求項１０】
前記第２の隣接する色平面を制御することは、前記第１の動作不能な色平面を、前記隣接するラスタ列における全ての動作可能および動作不能な色平面を動作不能として取り扱うことにより補正する、請求項９に記載の方法。
【発明の詳細な説明】
【技術分野】
【０００１】
本開示は、１つ以上の動作不能なインクジェットを有するインクジェットプリンタにより印刷された、合成色における印刷の色相および鮮明さを保持するための補正メカニズムに関する。
【背景技術】
【０００２】
インクジェットプリンタは、一般的に、１つ以上の印字ヘッドを含む。印字ヘッドは、１つ以上のインクジェット（例えば、ノズル、エミッタ、ジェット）を含んでよい。インクジェットノズルの直径が小さいと、印刷品質および解像度が向上する可能性がある。しかしながら、直径が小さいことにより、インクジェット内のインクが乾燥または停滞する可能性が増し、インクジェットを動作不能にする可能性がある。停滞を解消する浄化サイクルでは、印字ヘッドまたはプリンタが画像生成を停止して、動作不能なジェットを除去する必要があるかもしれない。異物、停滞、および、インクの部分的または全体的な閉塞が、インクジェットを動作不能にする場合がある。動作不能なインクジェットでは、動作不能なジェットを補正するために隣接する動作可能なジェットの再ベクトル化が必要な場合がある。しかし、そのような弱い間欠的なインクジェットラスタ、または、軸外のインクジェットラスタは、動作不能なインクジェットの補正が不十分な場合がある。
【発明の概要】
【発明が解決しようとする課題】
【０００３】
ドロップオンデマンドの技術は、インクジェットを利用して商業製品（例えば、プリンタ、プロッタ、および、ファクシミリ機）において媒体を印刷する。インクジェットは、インク滴を形成およびインクジェットから選択的に排出して、画像を表面（例えば、紙、蓄積ドラムなど）上に形成してよい。印字ヘッドは、インクジェットを配置および管理して、画像受信表面上への印刷を行ってよい。「ダイレクト」インクジェットプリンタは、インク滴を直接的に印刷表面上へ排出する。「インダイレクト」インクジェットプリンタは、インク滴を、回転画像化ドラムまたはベルトなどの中間画像受信部材上へ排出する。その後、中間画像受信部材は、画像を印刷表面へ転写してよい。印字ヘッドおよび画像受信表面は、インクジェットがインク滴を適切な位置または時間に排出してインク画像を画像受信表面上に形成する際、相互に関連して移動してよい。プリンタにおけるコントローラは、発射信号としても知られる電気信号を所定の時間に生成し、個々のインクジェットを起動してよい。インクジェットは、様々な液体インク色（例えば、シアン、マゼンタ、イエロー、および、ブラック）を排出してよい。
【課題を解決するための手段】
【０００４】
印刷合成色における測色および色相を維持するためのシステムは、以下を備える：第１の色平面および第１の画素に対する第１のコントーン補正を示すビットマップを取得するよう構成されるプリンタ；第１の動作不能な色平面を示す出力信号を生成するよう構成されるセンサ；および、第２の隣接する色平面およびコントーンを制御して第１の動作不能な色平面を補正するよう構成され、かつ、少なくとも１つの動作可能な色平面を第１の画素で補正するよう構成されるコントローラ。
【０００５】
印刷合成色における測色および色相を維持するための方法は、以下を備える：第１の色平面および第１の画素に対する第１のコントーン補正を示すビットマップを取得すること；第１の動作不能な色平面を示す出力信号を生成すること；および、第２の隣接する色平面およびコントーンを制御して第１の動作不能な色平面を補正し、かつ、少なくとも１つの動作可能な色平面を第１の画素で補正するよう構成されること。
【０００６】
ハーフトーン印刷プロセスにおいて印刷合成色の測色および色相を維持するための方法は、以下を備える：第１の色平面および第１の画素に対する第１のハーフトーン前補正を示すビットマップを取得すること；第１の動作不能な色平面を示す出力信号を生成すること；および、第２の隣接する色平面およびハーフトーン後を制御して第１の動作不能な色平面を補正し、かつ、少なくとも１つの動作可能な色平面を第１の画素で補正するよう構成されること。
【０００７】
これらの特性および他の特性、および、本技術の特徴、並びに、動作の方法および構造の関連要素の機能、および、部品の組み合わせ、および、製造の経済は、その全てが本明細書の一部を形成し同様の参照番号が様々な図において対応する部分を指す添付の図を参照して、以下の説明および請求項を考慮することで、より明らかになるであろう。しかしながら、図が図示および説明のみを目的としており、本実施形態の限定を規定する意図はないことが、明白に理解される。本明細書および請求項において使用される場合、「ａ（１つの）」「ａｎ（１つの）」および「ｔｈｅ（その）」の単数形は、他に明示されない限り、複数の指示対象を含む。
【０００８】
特許または出願ファイルは、カラーで作成される少なくとも１つの図を包含する。カラーの図を伴う本特許の複写または特許出願公報は、必要経費の要求および支払いを伴ってオフィスにより提供される。
【図面の簡単な説明】
【０００９】
【図１】図１は、どのようにシステムコンポーネントが作用するかを明示するシステムコンポーネントの略図である。
【図２】図２は、１つ以上の動作不能なインクジェットを補正するよう構成されるプリンタの１つの実施形態を図示する。
【図３】図３は、共にプリンタフレームバッファまたはカラービットマップを備える、４個のＭ行Ｎ列の出力解像度の色平面を含む１つの実施形態を提示する。
【図４Ａ】図４Ａは、図４Ｂに図示される第１の２個のビットマップ構成を図示し、構成は図４Ｂに図示される実際のビットマップとの比較が容易になるよう再現される。
【図４Ｂ】図４Ｂは、動作不能なシアンインクジェットのＩＪＣを介して取得された３０％ブルー合成色を描写し、列７、１７、および２７におけるラスタ生成物は、動作不能なシアンインクジェットを処理するＩＪＣから取得された合成色を図示する。
【図５】図５は、動作可能および動作不能なインクジェットの修正されたＩＪＣを介して取得された３０％ブルー合成色を描写し、列７、１７、および２７におけるラスタ生成物は、シアン（動作不能）およびマゼンタ（動作可能）インクジェットの両方の修正されたＩＪＣ処理から取得された合成色を図示する。
【図６】図６は、動作不能なシアンインクジェットのＩＪＣを介して取得された５０％ブルー合成色を描写し、列７、１７、および２７におけるラスタ列生成物は、動作不能なシアンインクジェットを処理するＩＪＣから取得された合成色を図示する。
【図７】図７は、動作可能および動作不能なインクジェットの修正されたＩＪＣを介して取得された５０％ブルー合成色を描写し、列７、１７、および２７の生成物は、シアン（動作不能）およびマゼンタ（動作可能）インクジェットの両方の修正されたＩＪＣ処理から取得された合成色を図示する。
【図８】図８は、動作不能なシアンインクジェットのＩＪＣを介して取得された５５％ブルー合成色を描写し、列７、１７、および２７におけるラスタ列生成物は、動作不能なシアンインクジェットを処理するＩＪＣから取得された合成色を図示する。
【図９】図９は、動作可能および動作不能なインクジェットの修正されたＩＪＣを介して取得された５５％ブルー合成色を描写し、列７、１７、および２７における生成物は、シアン（動作不能）およびマゼンタ（動作可能）インクジェットの両方の修正されたＩＪＣ処理から取得された合成色を図示する。
【図１０】図１０は、動作不能なシアンインクジェットのＩＪＣを介して取得された８９％ブルー合成色を描写し、列７、１７、および２７におけるラスタ列生成物は、動作不能なシアンインクジェットを処理するＩＪＣから取得された合成色を図示する。
【図１１】図１１は、動作可能および動作不能なインクジェットの修正されたＩＪＣを介して取得された８９％ブルー合成色を描写し、列７、１７、および２７における生成物は、シアン（動作不能）およびマゼンタ（動作可能）インクジェットの両方の修正されたＩＪＣ処理から取得された合成色を図示する。
【図１２】図１２は、動作不能なシアンインクジェットのＩＪＣを介して取得された９５％ブルー合成色を描写し、列７、１７、および２７におけるラスタ列生成物は、動作不能なシアンインクジェットを処理するＩＪＣから取得された合成色を図示する。
【図１３】図１３は、動作可能および動作不能なインクジェットの修正されたＩＪＣを介して取得された９５％ブルー合成色を描写し、列７、１７、および２７における生成物は、シアン（動作不能）およびマゼンタ（動作可能）インクジェットの両方の修正されたＩＪＣ処理から取得された合成色を図示する。
【図１４】図１４は、動作不能なマゼンタインクジェットのＩＪＣを介して取得された８０％レッド合成色を描写し、列７、１７、および２７におけるラスタ列生成物は、動作不能なインクジェットを処理するＩＪＣから取得された合成色を図示する。
【図１５】図１５は、動作可能および動作不能なインクジェットの修正されたＩＪＣを介して取得された８０％レッド合成色を描写し、列７、１７、および２７における生成物は、マゼンタ（動作不能）およびイエロー（動作可能）インクジェットの両方の修正されたＩＪＣ処理から取得された合成色を図示する。
【図１６】図１６は、動作不能なマゼンタインクジェットのＩＪＣを介して取得された８８％レッド合成色を描写し、列７、１７、および２７におけるラスタ列生成物は、動作不能なインクジェットを処理するＩＪＣから取得された合成色を図示する。
【図１７】図１７は、動作可能および動作不能なインクジェットの修正されたＩＪＣを介して取得された８８％レッド合成色を描写し、列７、１７、および２７における生成物は、マゼンタ（動作不能）およびイエロー（動作可能）インクジェットの両方の修正されたＩＪＣ処理から取得された合成色を図示する。
【図１８】図１８は、動作不能なシアンインクジェットのＩＪＣを介して取得された８０％グリーン合成色を描写し、列７、１７、および２７におけるラスタ列生成物は、シアン色平面において隣接するインクジェットを動作不能として処理するＩＪＣから取得された合成色を図示する。
【図１９】図１９は、動作可能および動作不能なインクジェットの修正されたＩＪＣを介して取得された８０％グリーン合成色を描写し、列７、１７、および２７における生成物は、シアン（動作不能）およびイエロー（動作可能）インクジェットの両方の修正されたＩＪＣ処理から取得された合成色を図示する。
【図２０】図２０は、動作不能なシアンインクジェットのＩＪＣを介して取得された８８％グリーン合成色を描写し、列７、１７、および２７におけるラスタ列生成物は、動作不能なインクジェットを処理するＩＪＣから取得された合成色を図示する。
【図２１】図２１は、動作可能および動作不能なインクジェットの修正されたＩＪＣを介して取得された８８％グリーン合成色を描写し、列７、１７、および２７における生成物は、シアン（動作不能）およびイエロー（動作可能）インクジェットの両方の修正されたＩＪＣ処理から取得された合成色を図示する。
【図２２】図２２は、動作不能なシアンインクジェットのＩＪＣを介して取得された８０％ブルー合成色を描写し、列７、１７、および２７におけるラスタ列生成物は、動作不能なインクジェットを処理するＩＪＣから取得された合成色を図示する。
【図２３】図２３は、動作可能および動作不能なインクジェットの修正されたＩＪＣを介して取得された８０％ブルー合成色を描写し、列７、１７、および２７における生成物は、シアン（動作不能）およびマゼンタ（動作可能）インクジェットの両方の修正されたＩＪＣ処理から取得された合成色を図示する。
【図２４】図２４は、動作不能なシアンインクジェットのＩＪＣを介して取得された８８％ブルー合成色を描写し、列７、１７、および２７におけるラスタ列生成物は、動作不能なインクジェットを処理するＩＪＣから取得された合成色を図示する。
【図２５】図２５は、動作可能および動作不能なインクジェットの修正されたＩＪＣを介して取得された８８％ブルー合成色を描写し、列７、１７、および２７における生成物は、シアン（動作不能）およびマゼンタ（動作可能）インクジェットの両方の修正されたＩＪＣ処理から取得された合成色を図示する。
【発明を実施するための形態】
【００１０】
本実施形態の１つの目的は、インクジェットプリンタにおける動作不能なジェット補正（ＩＪＣ）を使用して、印刷の前に画像コンテンツを修正することである。具体的には、動作不能なインクジェットは、合成色に不均衡に影響を及ぼす場合がある。ＩＪＣは、配列スワスのラスタ列における１つ以上の動作不能な色平面を前補正してよい。ＩＪＣは、欠損ラスタを補正し、動作不能なインクジェットを無視してフルスピード印刷を継続してよい。本明細書において使用される場合、「フルスピード印刷」は、特定のインクジェットプリンタにより最適に期待される速度での印刷を意味する。本実施形態は、異なるインクジェットプリンタで使用されることができ、当業者により容易に知られるような任意のプリンタに対する最適な速度範囲で動作してよい。ＩＪＣは、出力色平面における欠損ラスタから独立してポストレンダを適用してよい。プロセスは、スカラー（例えば、複数の主要な色平面におけるベクトル補正ではなく、欠損ラスタ色補正）であってよい。最大の修正可能な濃度は、主要な色ドット拡散および欠損ラスタに近い利用可能な主要な色平面を制限してよい。合成色（例えば、複数の色平面から生成される色）の測色の精度は、特に理論的な制限の近くで、所定の最大の修正可能な濃度の一因となる場合がある。一部の実施形態において、色の欠如は、測色の精度の一因となる場合がある。
【００１１】
本明細書において使用される場合、「ＩＪＣ」は、隣接するラスタ列に色を適用して欠損ラスタの色平面を補正するプロセスを指す。ＩＪＣは、動作可能な色平面に適用してよい。一部の実施形態において、ＩＪＣは、欠損ラスタまたは動作可能なラスタへ適用する。本明細書において使用される場合、「修正されたＩＪＣ」は、具体的には、動作可能なラスタ列または色平面にＩＪＣプロセスを適用する。ベクトルＩＪＣは、１つより多い色平面に適用する。スカラーＩＪＣは、動作不能な色平面にのみ適用する。
【００１２】
合成色は、２倍以上の追加インクを必要としてよい。したがって、ドットの拡散は、主要な色と比較して、より大きい最大の修正可能な濃度を提供するべきである。最大の修正可能な合成色レベルは、主要な最大値を超えてよいが、期待される範囲までは超えない。例えば、制御されない色相のずれ、および、質感アーチファクトは、期待される最大の修正可能な合成色濃度を低下させる可能性がある。ＩＪＣ修正された色の部分被覆が高いと、これらのアーチファクトが高まる可能性がある。ある形式のラスタごとの色調整が利用可能でない限り、スカラーバイナリＩＪＣは、ＩＪＣ処理済ラスタとＩＪＣ未処理ラスタとの間の色の差を調和しなければならない。バイナリＩＪＣメカニズムは、ジェット重複補正を含む濃度を合致させてよい。しかしながら、スカラーＩＪＣは、大幅な色相の差（例えば、単一の階調再現曲線（ＴＲＣ）調整で修正不可能な色相の差）を修正しなくてよい。
【００１３】
低い空間周波数において、ベクトルは、欠損の隙間を補正するインクの総量に基づいて様々であってよい。例えば、主要または合成（例えば、第２、第３、および、超合成ブラック）色は、欠損ラスタを容易に補正してよい。しかしながら、合成（例えば、第２の）色における最大の修正可能なレベルは、主要な色における最大の修正可能な合成色レベルを実際に低下させる可能性がある。本開示は、特定の周波数が低い根拠のない修正を回避する可能性があり、これらの低下した最大の修正可能な合成色レベルと関連付けられる不均衡な問題を主要な色の中で補正してよい。
【００１４】
ＩＪＣは、補正された合成色における色相のずれ、および、合成色アーチファクトを、ラスタごとのベクトルの色修正をせずに減少させてよい。特に低い周波数の色に対して、修正されたＩＪＣは、合成色の最大値を補正してよい。主要な色に対するラスタごとのＩＪＣ濃度の合致により、十分な修正が提供されてよい。しかしながら、１つの色平面が動作不能である場合に、他または全ての色平面における対応する動作可能なラスタを動作不能として取り扱うことにより、色相のずれ、および、合成色アーチファクトを減少してよい。言い換えれば、１つ以上の色平面に対する画素位置において損失したインクは、結果的に、他の色平面における対応する画素を動作不能として取り扱うことになってよい（例えば、動作可能および動作不能な色平面の両方）。修正されたＩＪＣは、色相のずれ、または、他のアーチファクトを減少させる可能性がある。正規化された（例えば、構成要素である主要な色の）ドットプロファイルは、統合された関連の色の一因および色濃度の両方を良好に保ってよい。
【００１５】
この手法の利点は、欠損ラスタの隙間を減らすこと、および、隣接するドットの拡散で隙間が閉じることを含む。これにより、色相のずれがベクトルのラスタの色修正をせずに減少される可能性があり、最大の修正可能な測色レベルを向上させる可能性がある。ＩＪＣの主要な色の処理は、ドットプロファイルを正規化し、色相のずれをラスタ特有のベクトルの色修正をせずに減少させる。合成色の（例えば、１つ以上のインクが欠損している）画素からインクを移すことで、隣接するインクが欠損ラスタの隙間により均一および完全に拡散して満たされてよい。これにより、意図する色からの逸脱が制限される。結果として、修正されたＩＪＣプロセスは、より高い修正可能なレベル、および、より頻繁なフルスピード印刷を達成してよい。さらに、修正された方法がディザーバックプロセスと組み合わされると、ディザーバックレベルが向上する可能性があり、それにより、印刷可能な色域が増える。
【００１６】
本明細書において使用される場合、「プリンタ」は、デジタルコピー機、製本機、ファクシミリ機、多機能器など、任意の目的で媒体上に画像を形成する任意の装置である。本明細書において使用される場合、プリンタは、１つ以上のインクジェットを含む印字ヘッドを含む。「スワス」は、典型的に、画像受信部材上へマーキングされる際のラスタ列の隣接する群である。
【００１７】
本明細書において使用される場合、「ジェット」および「インクジェット」という単語は交換可能であり、マーキング材料を表面に塗布するコンポーネントを特定して、画像データに対応する画像の一部を形成する。本明細書において使用される場合、「動作不能なインクジェット」という用語は、インクを排出しない、断続的にのみインクを排出する、または、インクジェットが電気発射信号を受信すると画像受信部材の不正確な位置上へインクを排出する、プリンタにおいて正常に動作しないインクジェットを指す。典型的なインクジェットプリンタは、１つ以上の印字ヘッドにおいて複数のインクジェットを含む。各インクジェットは、１つ以上の出力ラスタ列を画像受信部材上へマーキングする役割を果たす。動作不能なインクジェットに起因して欠損している各ラスタ列の近くに位置する動作可能なインクジェットにより印刷されるラスタ列は、欠損している列を補正して画像品質を保ってよい。
【００１８】
本明細書において使用される場合、「画素」という用語は、画像内で最小のアドレス可能な要素を指す。正確な定義は、文脈による。他に明示されない限り、本開示における画素は、印刷画像内で最小のアドレス可能な要素を指す。「作動中画素」は、プリンタがインクの滴を画像受信表面の位置上へ排出する印刷画像データにおける画素を指す。「未作動画素」は、プリンタがインクの滴を画像受信表面の位置上へ排出しない値を有する画像データにおける画素を指す。「画素列」という用語は、プロセス方向（例えば、以下のラスタ列を参照）に拡張する画像データにおける画素の配列を指す。画像受信表面は印刷ゾーンにおけるインクジェットをプロセス方向に通過するので、インクジェットが動作不能な場合、インクジェットは、印刷ゾーンにおいて動作不能なインクジェットと並ぶ画素列における作動中画素に対応するインク滴を排出できない。以下に記載されるように、プリンタは、動作不能なインクジェットとクロスプロセス方向に並ぶ画素列における作動中画素に近似する画像データの同じ色平面における追加的な画素を起動し、動作不能なインクジェットで形成された印刷画像における欠陥を削減または除去する。
【００１９】
本明細書において使用される場合、「バイナリ画像データ」または「ビットマップ」という用語は、作動中または未作動の画素の２次元（または、３次元）配列として形成される画像データを指す。ビットマップは、多平面色データを含む継続的な色調データのアレイを指してよい。例えば、ビットマップ（例えば、バイナリ画像データ）の各画素は、画素を作動中にするか、または、未作動にするかを示す、２つの値のうちの１つを含んでよい。一部のインクジェットデバイスは、各主要な色の１滴または２滴を画素の位置に印刷してよい。この構成は、画素ごとに３個の状態を与えてよい。一部の実施形態において、インクジェットデバイスは、同じ色の大きい少量の滴を各画素の位置に（さらに、３個の状態の画素）印刷してよく、または、少量または大きい滴を（画素ごとに４個のビットを与える）印刷してよい。例えば、画素ごとに１個のビットは、２個の状態を符号化してよい：０，１。画素ごとに２個のビットは、３個の状態を符号化してよい：００，０１，１０。画素ごとに４個のビットは、４個の状態を符号化してよい：００，０１，１０，１１。他の本来の挙動が可能である。例えば、インクジェットプリンタは、大小の滴を印刷してよい。一部の実施形態において、大きい滴は、ビットマップにおいて小さい滴に即座に続かなくてよい。インクジェットプリンタは、画像データにおける作動中画素に対応するインク滴を選択的に排出して、インク画像を形成してよい。
【００２０】
本明細書において使用される場合、「ラスタ」または「ラスタ列」は、画像の単一の色平面に対応する出力解像度の単一の画素の広範な列であり、４個の出力色平面および本開示の専門用語を想定すると、単一の画素の広範な垂直フレームバッファ列は、各々が４個の出力色平面の各々に対応する４個のラスタからなるであろう。本明細書において使用される場合、ラスタはプロセス方向に延びる。これは、ラスタが高速走査方向に並べられた行である共通の用法と異なる。本明細書において使用される場合、「欠損ラスタ」は、印刷に関わるジェットが動作不能であるため、印刷を行わないラスタである。
【００２１】
「孤立インク」という表現または「孤立」という用語は、欠損ラスタにあるため、印刷を行わないインク滴または作動中画素を指す。「欠損ラスタの隙間」または「隙間」は、欠損ラスタに対応する出力列である。
【００２２】
本明細書において使用される場合、「画像濃度」という用語は、画像データにおける多数の作動中画素、または、インク画像におけるインク滴に対応してよい。高濃度の領域において、画素の比較的に大きい部分が作動中にされ、画像受信表面の対応する領域が相応に多数のインク滴を受ける。低濃度の領域において、より少量の画素が作動中にされ、画像受信表面の対応する領域が、より少量のインク滴を受ける。さらに、構成要素である作動中画素またはインク滴の総数と独立して、把握された色浸潤レベルを示してよい。
【００２３】
本明細書において使用される場合、「スワス」は、補正を必要とする多くても１つの中央に配置される欠損ラスタを含む色平面内で典型的に隣接する稼働ラスタの群である。対象と呼ばれることもある欠損ラスタに加えて、Ｎ−ラスタスワスは、少なくともＮ−１稼働ラスタを含む。各欠損ラスタは、本明細書において使用されるが唯一無二のスワスの部材であり、欠損ラスタスワス内で稼働ラスタは、複数の重複する欠損ラスタのスワスに属してよい。対象以外の欠損ラスタがスワスエリア内で見られる場合、対象でない欠損ラスタが抜かされ、代わりに次の隣接する列がスワスに含まれて、各裂け目の当該の欠損ラスタに対する１つのラスタによりスワスが広がる。これにより、各スワスにおけるラスタ全体の稼働率が確実に最小化される。
【００２４】
本明細書において使用される場合、「レンダリング」は、受信されたプリンタ独自の入力画像およびページ記述言語データを、プリンタ出力解像度の継続的な色調画像データへ変換するプロセスを指し得る。レンダリングは、継続的な色調レンダリングが施された画像データを出力デバイスの色の深度および解像度へさらに変換するハーフトーン化プロセスと組み合わされてよく、または、ハーフトーン化プロセスが続いてよい。
【００２５】
この出願において、「ｏｒ（または）」は包括的である。すなわち、他に明示されない限り、ＡまたはＢは、以下を含む可能性を意味する：Ａ、Ｂ、または、ＡおよびＢ。本明細書、要約、および請求項において、「ｏｒ（または）」は、一覧表示された要素の全ての可能な組み合わせを含む。意図される場合、排他的「ｏｒ」は明確に示される（例えば、「ｘｏｒ」）。
【００２６】
デジタルカラープリンタは、典型的に、２層である：各出力画素の位置における各出力色が、最小単位の着色剤を配置（沈着、露出、起動、除去など）し得るか、または、画素の位置を空けたままにし得る。１つのビットは、画素ごと、および、着色剤ごとに表してよい。例えば、プリンタは、シアン、マゼンタ、イエロー、およびブラック（ＣＭＹＫ）の４つの主要な色を使用してよく、４つの色平面において同じ解像度およびビット深度を実装してよい。この単純な構成（例えば、コントーン／ハーフトーンなし）において、１６個の全ての可能な画素ごとの色の組み合わせを提示するのに、画素ごとに４つのビットのみが必要となる。フレームバッファと呼ばれることもある、ページごとの出力画素情報は、画素ごとに１つのビットの４つの出力フレーム解像度（バイナリ）ビットマップまたは出力色平面として、共通して構築される。
【００２７】
マルチカラープリンタは、異なる色の各々に対するバイナリ画像データと関連した異なるインク色のインク滴を排出して、多色インク画像を形成する。本実施形態において、マルチカラープリンタは、ビットマップデータを精査して画素の色を判定する。マルチカラープリンタに利用可能な色は、主要な出力色または「色平面」を表す。幾何学的および機械的に相互に類似して作製された対応するインクジェットの典型的に一致する色平面により、画像品質の変化が最小化される。主要な色が出力される順番により、画像品質に変化が生じる可能性がある。例えば、最初にマゼンタを印刷して次にシアンを印刷するより、最初に主要な色であるシアンを印刷し、続いてマゼンタを印刷することで、異なる合成色を生じさせてよい。画像品質の変化は、機器ごとに単一の機器の製品寿命全体で起こる。共に追随するインクジェットは、色相の不均衡および関連するアーチファクトを最小化する。デジタルプリンタは、４つの出力色平面を含んでよい。本出願に記載されるように、これらの主要な色平面は、シアン、マゼンタ、イエロー、またはブラック（ＣＭＹＫ）を含む。一部の実施形態において、５個、６個、または、それ以上の主要な色平面が使用されてよい。
【００２８】
２次元アレイは、継続的な色調およびバイナリの両方で画像データを配列してよい。画像データは、プロセス方向およびクロスプロセス方向に対応する次元を含んでよい。「走査方向」または「クロスプロセス方向」は、画像受信表面がプリンタを通過する方向に垂直である。「プロセス方向」は、画像受信表面が移動する方向に平行である。本明細書において使用される場合、「画素列」という用語は、プロセス方向に延びる画像データにおける画素の配列を指す。画像受信表面は印刷ゾーンにおけるインクジェットをプロセス方向に通過するので、インクジェットが動作不能である場合、インクジェットは、動作不能なインクジェットと並ぶ画素列における作動中画素に対応するインク滴を排出できない。以下に記載されるように、プリンタは、ラスタ列における作動中画素と隣接する画像データにおける同じ色平面の追加的な画素を起動してよい。追加的な画素は、動作不能なインクジェットとクロスプロセス方向に並んで、動作不能なインクジェットで形成される印刷画像における欠陥を削減または除去してよい。
【００２９】
本明細書において使用される場合、「画像濃度」という用語は、画像データにおける多数の作動中画素、ビットマップ、または、インク画像内でのインク滴に対応してよい。高濃度の領域は、画素の比較的に大きい部分を作動中にする。画像受信表面の対応する高濃度の領域は、相応に多数のインク滴を受けてよい。低濃度の領域は、より少数の画素を作動中にし、画像受信表面の対応する低濃度の領域は、より少ないインク滴を受けてよい。画像濃度は、構成要素である作動中画素またはインク滴の総数と独立して把握された色飽和レベルを示してよい。
【００３０】
図１は、どのようにシステムコンポーネントが作用し得るかを明示するシステムコンポーネントの略図である。プリンタ１０はネットワーク２と接続されてよく、ネットワークは１つ以上の計算デバイス４、電子記憶装置６、外部リソース８、コントローラ１６、センサ１８、または、他のネットワークコンポーネントを含む。プリンタ１０は、印字ヘッド１２を含んでよい。印字ヘッド１２は、各ラスタ列に対応する１つ以上のインクジェット１４を含んでよい。
【００３１】
図２は、１つ以上の動作不能なインクジェット１４ａを補正するよう構成されるプリンタ１０の１つの実施形態を図示する（図１に示され、図３に記載される）。プリンタ１０は、１つ以上のインクジェット１４（例えば、動作可能なジェット１４ｂまたは動作不能なジェット１４ａのいずれかの色平面に適用される）をＩＪＣ補正してよい。２層のデジタルカラープリンタは、所与の出力画素の位置に所与の出力色を含んでよく、最小単位の着色剤を配置（例えば、沈着、露出、起動、除去など）してよい。代替的に、プリンタ１０は、画素位置を空けたままにしてよい。画素ごと着色剤ごとに１つのビットが、このプロセスを規定してよい。（図１に示されるような）印字ヘッド１２上のラスタの例示的な実施形態は、１つのラスタ３１６列を印刷してよい。例えば、ラスタ３１６は、シアン１４ａ、マゼンタ１４ｂ、イエロー１４ｃ、およびブラック１４ｄ（ＣＭＹＫ）のような主要な色を有する４つのインクジェット１４を使用してよい。４つの色平面は、同じ解像度およびビット深度を有してよい。この構成において、ラスタ３１６の幅（例えば、画素幅）は、シアン１４ａとイエロー１４ｃとの間の距離であり、画素の高さは、マゼンタ１４ｂとブラック１４ｄとの間の距離であるが、他の構成も可能である。例えば、４つの色平面は、コントーンまたはハーフトーンを作成する可変の解像度またはビット深度を有してよい。
【００３２】
画素ごとに４個（または、５個）のビットが、１６個の全ての可能な画素ごとの色の組み合わせを表してよい。一部の実施形態において、５個目または追加のビットが、作動中または未作動画素を示してよい。画素ごとに１つのビットの４個の出力フレーム解像度（バイナリ）ビットマップまたは出力色平面は、フレームバッファと呼ばれることもあるページごとの出力画素情報を構築してよい。例えば、４個のビットは、ＣＭＹＫラスタビットマップ構成に基づいてイエロー（００１０）の印刷を符号化する。この情報を伝達するために５個のビットを使用する第２の構成において、第１の（または、最後の、または任意の構成ビット）は、プリンタが印刷すべきかを示してよい（例えば、１００１０はイエローを印刷し、０００１０は印刷しない）。第２の構成は、動作可能なインクジェット１４ｂの印刷を回避するＩＪＣ符号化の利点になることが、明確になるであろう。この例は限定的ではなく、６個または７個のビット符号化を備える６個のインクジェット１４のラスタ３１６など、他の構成が可能である。
【００３３】
フレームバッファ内での異なる色平面における画素は、それらの値が画像受信表面上の同じ画素の位置に対する出力色を判定する際に、整列または対応する。ラスタ３１６は、構成要素である画素の全てが整列する場合、整列または対応する。スワス（例えば、ラスタ３１６の集合）は、全ての含まれるラスタ３１６が整列する場合に整列または対応する異なる出力色を表してよい。
【００３４】
動作不能なジェット補正（ＩＪＣ）は、ハーフトーン段階の前または後に包括的に実施されてよい。ＩＪＣは、ハーフトーン後のプロセスをラスタ化されたフレームバッファに排他的に使用してよい。ＩＪＣは、スカラープロセスを実施してよい。スカラープロセスにおいて、ＩＪＣは、欠損ラスタの色平面内でデータを修正するのみでよい。追加的な修正されたＩＪＣは、欠損ラスタのスワスと整列する任意または全部の動作可能な出力インク色を表す他の色平面における画素データに対応してよい。一部の実施形態において、コントローラ１６は、修正されたＩＪＣ処理（例えば、追加的または隣接するインクジェット１４の色平面１４ａ〜１４ｄに対するＩＪＣ処理）を最善に適用するために、実施特有の状況を判定してよい。コントローラは、プリンタ１０、印刷モード、または、インクジェット１４の色平面１４ａ〜１４ｄを制御してよい。本開示のモードは、ベクトルのＩＪＣ処理（例えば、修正されたＩＪＣを動作可能なインクジェット１４の色平面１４ａ〜１４ｄに適用することを含むよう記載された修正されたＩＪＣ）を適用する前に実施特有の状態をチェックすることを含んでよい。例えば、追加的な処理は、特有の色平面１４ａ〜１４ｄ、動作可能な色平面１４ｂ、または、動作不能な色平面１４ａに適用するのみであってよい。（注意：他に明示されない限り、この開示は、マゼンタ１４ａが動作不能１４ａであり、シアン１４ｂが動作可能１４ｂであると想定する例示的な実施形態を提供する。実際には、任意の色平面１４ａ〜１４ｄは「動作不能」になってよく、または、「動作可能」であってよい）
【００３５】
本開示において、ＩＪＣ濃度変換は、ページを再レンダリングする必要性を除去してよい（例えば、修正されたＩＪＣが不成功である場合）。ＩＪＣにより、欠損または動作不能として処理された稼働ラスタ３１６の色平面１４への正確な負担が可能となってよい。修正されたＩＪＣは、最大のＩＪＣの修正可能な濃度を超えても、追加的な処理コストなしで意図する画像濃度を保ってよい。
【００３６】
修正されたＩＪＣは、画像コンテンツを変更しなくてよい。例えば、画像コンテンツおよび画像データは、修正されたＩＪＣプロセスを変更しなくてよい。修正されたＩＪＣは、同等の欠損ジェット１４の処理を、各欠損ラスタ３１６のスワス３１０と整列する全ての色平面１４におけるスワス３０２へ適用するのに有用なインスタンスを含んでよい。プロセスは、ＩＪＣをジェット１４（動作可能１４ｂおよび動作不能１４ａ）のサブセットへ適用してよい。例えば、プロセスは、「イエロー１４ｃのみ」または「ブラック１４ｄ以外の全ての色平面」など、所定の画像から独立した基準にしたがって、稼働スワスを整列してよく、または、積極性が少ないＩＪＣアルゴリズムを使用して稼働ラスタ３１６を処理してよい。これにより、画像データに依存する条件付きの挙動を回避する利点が提供されてよく、または、クロス色平面１４の出力解像度データアクセスに対する要件が回避されてよい。クロス色平面１４の出力解像度データは、一部の画像パイプラインアーキテクチャにおいて利用可能でない場合がある。
【００３７】
条件付きの制限は、ＩＪＣ処理の稼働スワス３０２への体系的な適用を画像データコンテンツに基づいて防いでよい。例えば、処理により、ＩＪＣの不利な体系的な適用が回避されてよい。さらに、スワスのグレー１４の稼働ラスタ３１６を欠損として処理することで、対応するシアン１４ａのジェット１４が動作不能である場合、一部の利点が提示される可能性がある。画像の一部がシアン１４ａを使用しない場合、ＩＪＣを作動中にすることで画像品質または色相が歪曲される可能性がある。
【００３８】
プリンタの説明
図２は、位相変化インクプリンタ１０の実施形態を描写する。位相変化プリンタ１０は、１つ以上の動作不能な１４ａのインクジェット１４を、本開示の態様にしたがって補正してよい。他のプリンタ１０の構成が考慮される。プリンタ１０は、直接的または間接的に搭載されるフレーム２０を含んでよい。プリンタ１０は、画像受信部材２２を含んでよい。図２は、部材２２を回転可能な画像化ドラムとして図示しているが、支持エンドレスベルトが部材２２を形成してもよい。画像受信部材２２（例えば、ドラムまたはベルト）は、画像受信表面２４を有してよい。表面２４は、インク画像を形成するための位置を提供してよい。アクチュエータ９４（例えば、サーボまたは電子モータ）は、画像受信部材２２を係合してよい。アクチュエータ９４は、画像受信部材２２を（例えば、方向２６に）回転させてよい。転写定着ローラ１９が方向１７に回転する際、ドラム２２の表面２４に負荷がかかり、転写定着ニップ２８を形成する。転写定着ニップは、表面２４上に形成されるインク画像を加熱された印刷媒体４９上へ転写してよい。
【００３９】
位相変化インクプリンタ１０は、位相変化インク搬送サブシステム６０を含んでよい。サブシステム６０は、異なる色の位相変化インクの複数のソースを固体形状で有してよい。プリンタ１０はマルチカラープリンタであるので、インク搬送サブシステム６０は、４つのソース１４ａ、１４ｂ、１４ｃ、および１４ｄを含んでよい。４つのソースは、位相変化インクの異なる４色ＣＭＹＫ（シアン１４ａ、マゼンタ１４ｂ、イエロー１４ｃ、およびブラック１４ｄ）を表してよい。位相変化インク搬送サブシステムは、溶解および制御装置９８を含んでよい。装置９８は、位相変化インクの固体形状を（例えば、液体形状へ）溶解または位相変化させてよい。一部の実施形態において、装置９８は、固体または液体ＵＶ高感度インクを溶解するＵＶ光を含んでよい。ＵＶ光は、ＵＶ高感度インクを熱的に設定してよい。インクソース１４ａ、１４ｂ、１４ｃ、および１４ｄの各々は、溶解したインクを印字ヘッドアセンブリ３２および３４へ供給するために使用される容器を含んでよい。図２において、印字ヘッドアセンブリ３２および３４の両方とも、溶解したＣＭＹＫインクをインクソース１４ａ〜１４ｄから受ける。一部の実施形態において、印字ヘッドアセンブリ３２および３４は、各々がＣＭＹＫインク色のサブセットを印刷するよう構成される。
【００４０】
位相変化インクプリンタ１０は、基板供給および取扱サブシステム４０を含んでよい。例えば、基板供給および取扱サブシステム４０は、供給ソース４８が、例えば、画像受信基板をカットシート印刷媒体４９の形状で保存および供給するための大容量紙供給またはフィーダである、シートまたは基板供給ソース４２、４４、４８を含んでよい。位相変化インクプリンタ１０は、示されるように、文書保持トレイ７２、文書シート供給および検索デバイス７４、および、文書露出および走査サブシステム７６を有する、原稿フィーダ７０を含む。媒体搬送経路５０は、個々に切断された媒体シートなどの印刷媒体を、基板供給および取扱サブシステム４０から抽出し、印刷媒体をプロセス方向に移動させる。媒体搬送経路５０は、印刷媒体４９を、インク画像を転写定着ニップ２８において印刷媒体４９へ転写定着する前に印刷媒体４９を加熱する、基板加熱器または予熱器アセンブリ５２を介して移動させる。
【００４１】
供給ソース４２、４４、４８は、媒体搬送経路５０を通過して、画像受信部材２２と転写定着ローラ１９との間に形成された転写定着ニップ２８に、画像受信表面２４上に形成されるインク画像の登録のタイミングで到達する画像受信基板を提供する。インク画像および媒体がニップを通過して移動する際、インク画像は基板２４から転写され、転写定着ニップ２８内の印刷媒体４９へ固定的に融合される。両面構成において、媒体搬送経路５０は、第２のインク画像を印刷媒体４９の第２の側へ転写定着するために、印刷媒体４９に転写定着ニップ２８を２度通過させる。
【００４２】
コントローラ１６（図１に示される）または電子サブシステム（ＥＳＳ）８０は、プリンタ１０の様々なサブシステム、コンポーネント、または、機能の動作または制御を行ってよい。専用ミニコンピュータ、コントローラ１６またはＥＳＳ８０は、デジタルメモリ８４を有する中央処理装置（ＣＰＵ）８２、または、ディスプレイまたはユーザインタフェース（ＵＩ）８６を有してよい。ＥＳＳ８０またはコントローラ１６は、センサ１８、入力および制御回路８８、インク滴配置回路、または、制御回路８９を含んでよい。インク滴配置制御回路８９は、フィールドプログラマブルゲートアレイ（ＦＰＧＡ）を実装してよい。ＣＰＵ８２は、画像入力ソースから受信された印刷ジョブと関連付けられる画像データフローの読み込み、撮像、準備、または管理を行ってよい。例えば、走査サブシステム７６、または、オンラインまたは計算プラットフォーム４（図１に示される）は、ＣＰＵ８２へ接続９０を介して送信してよい。したがって、ＥＳＳ８０またはコントローラ１６は、他のプリンタサブシステムおよび機能の全ての動作および制御を行うための主要なマルチタスキングまたは処理を提供してよい。サーバ、ネットワーク２、計算デバイス４、プリンタ１０、または、他のハードウェアは、ＥＳＳセンター８０を備えてよい。
【００４３】
コントローラ１６は、例えば、印字ヘッド動作などのプログラム化された命令を実行する汎用または専用プログラマブルプロセッサ８０を実装してよい。メモリ８４または記憶装置６は、プロセッサまたはコントローラ１６と関連付けられるプログラム化された機能を行うよう要求される命令またはデータを保存してよい。コントローラ１６、メモリ６、または、インタフェース回路（例えば、ネットワーク２）は、プリンタ１０がインク画像を形成するよう構成してよい。より具体的には、コントローラ１６は、動作不能なインクジェット１４ｂ（一般的には図１を参照）に対するインクジェット１４の動作の補正を制御してよい。コントローラ１６は、特定用途向け集積回路（ＡＳＩＣ）に印刷回路カードまたは回路を備えてよい。各回路は、別個のプロセッサを実装してよい。代替的に、複数の回路が同じプロセッサを実装してよい。個別コンポーネントは、超大規模集積回路（ＶＬＳＩ）に提供される回路を実装してよい。プロセッサ、ＦＰＧＡ、ＡＳＩＣ、または個別コンポーネントの組み合わせは、本明細書に記載される任意の回路を実装してよい。
【００４４】
汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理回路、個別ハードウェアコンポーネント、または、それらの任意の組み合わせは、本明細書に記載されるコントローラ１６の機能を行ってよい。コントローラ１６は、マイクロプロセッサ、汎用プロセッサ、または、他のプロセッサまたは状態機械を備えてよい。プロセッサは、計算デバイス４の組み合わせを実装してよい。例えば、プロセッサは、ＤＳＰおよびマイクロプロセッサの組み合わせ、複数のマイクロプロセッサ、ＤＳＰコアと連動する１つ以上のマイクロプロセッサ、または、任意の他の同様の構成を実装してよい。
【００４５】
ハードウェアは、本開示に関連して以下に記載される方法またはアルゴリズムのステップを具体化してよい。プロセッサは、ソフトウェアモジュールを実行してよい。ソフトウェアおよびハードウェアの組み合わせは、方法のステップを具体化してよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または、当業者に既知の保存媒体の任意の他の形態（例えば、電子記憶装置６）に常駐してよい。電子記憶装置６の媒体はプロセッサと結合してよく、それにより、プロセッサは電子記憶装置６の媒体との間で情報を読み書きし得る。記憶装置６の媒体は、プロセッサを統合してよい。プロセッサおよび記憶装置の媒体６は、ＡＳＩＣに常駐してよい。ＡＳＩＣはユーザ端末（例えば、計算デバイス４）に常駐してよい。代替的には、プロセッサおよび記憶装置６の媒体は、個別コンポーネントとしてユーザ端末に常駐してよい。さらに、任意の上述したコンポーネントは、プリンタ１０、計算デバイス４、サーバ内に内蔵または個別分散されてよく、あるいは、ネットワーク２と接続されてよい。
【００４６】
一部の実施形態において、ハードウェア、ソフトウェア、ファームウェア、または、それらの任意の組み合わせは、記載される特性を実装してよい。ソフトウェアに実装される機能は、コンピュータ可読保存媒体６に対して１つ以上の命令（例えば、コード）を保存または送信してよい。コンピュータ可読媒体６は、コンピュータ保存媒体６および通信媒体の両方を含む。具体的には、媒体は、ある場所から別の場所へのコンピュータプログラムの移送を容易にする任意の媒体を含んでよい。電子保存媒体６は、汎用または専用コンピュータへアクセス可能な任意の利用可能な媒体を含んでよい。限定ではなく例として、そのようなコンピュータ可読媒体は、ＲＡＭ、ＲＯＭ、ＥＥＰＲＯＭ、ＣＤ−ＲＯＭ、他の光ディスク記憶装置、磁気ディスク記憶装置、他の磁気記憶装置デバイス、または、所望のプログラムコードを保持または保存するために使用される任意の他の媒体を備えてよい。電子記憶装置６は、プログラムコードを命令またはデータ構造として保存してよい。
【００４７】
汎用または専用コンピュータは、記憶装置６にアクセスしてよい。代替的に、汎用または専用プロセッサは、記憶装置６にアクセスしてよい。記憶装置６にアクセスすることは、これらの方法の任意の組み合わせを含んでよい。例えば、いくつかの媒体が、ソフトウェアを（例えば、ウェブサイト、サーバ、または、他の遠隔ソースから）送信するために存在する。同軸ケーブル、ファイバ光ケーブル、ツイストペア、デジタル加入者回線（ＤＳＬ）、無線技術が、ソフトウェアを送信してよい。他の方法は、赤外線、電波、マイクロ波または他の無線技術を含んでよい。ディスク（ｄｉｓｃまたはｄｉｓｋ）媒体は、コンパクトディスク（ＣＤ）、レーザディスク、光ディスク、デジタル多用途ディスク（ＤＶＤ）、フロッピーディスク、および、ブルーレイディスクを含む。本明細書において使用される場合、ディスク（ｄｉｓｋ）はデータを磁気的に再現してよく、一方でディスク（ｄｉｓｃ）はデータを光学的に（例えば、レーザで）再現してよい。本開示の範囲は、上記に一覧表示されたコンピュータ可読媒体の組み合わせを含む。
【００４８】
プリンタ１０は、複数のインク滴をインクジェット１４から画像受信部材２２の表面２４上へ排出してよい。コントローラ１６は、電気発射信号（例えば、０００１）を生成して個々のインクジェット１４（例えば、ブラック１４ｄ）を動作させてよい。コントローラ１６は、電気発射信号を１つ以上の印字ヘッドアセンブリ３２、３４において生成してよい。マルチカラープリンタ１０において、コントローラ１６は、印刷ジョブにおいて１つ以上の印刷ページに対応するデジタル画像データを処理してよい。コントローラ１６は、ＣＭＹＫ色など、画像におけるインクの各色平面に対する２次元ビットマップを生成してよい。
【００４９】
一部の実施形態において、コントローラ１６は、プロセスを繰り返してハーフトーンまたはコントーンを作成してよい。これにより、複数層または積層が特定のラスタ位置で生じてよい。このプロセスは、３次元印刷ジョブへ拡張してよい。各ビットマップは、画像受信部材２２上の位置に対応する画素の２次元（または、３次元）配列を含んでよい。一部の実施形態において、バイナリ信号は、作動中または未作動画素を表してよい。コントローラ１６は、発射信号を生成してインクジェットを起動し、インクの滴を作動中画素に対する画像受信部材２２上へ排出するが、表す色に関わらず、未作動画素に対する発射信号は生成しない。プリンタ１０において各インク色が組み合わされたビットマップまたは積層されたビットマップは、後に印刷媒体４９へ転写定着されるマルチカラーまたはモノクロ画像を生成してよい。コントローラ１６は、選択された作動中画素の位置でビットマップを生成してよく、８、１６、または３２ビット符号化により、プリンタ１０は、マルチカラー画像、ハーフトーン画像、ディザー画像などを作成し得る。
【００５０】
印刷動作中、印字ヘッドアセンブリ３２および３４におけるインクジェットの１つ以上は、動作不能になる可能性がある。動作不能なインクジェットは、インク滴を断続的に排出する可能性があり、インク滴を画像受信表面２４上の不正確な位置へ排出する可能性があり、または、完全にインク滴を排出できない可能性がある。一部の実施形態において、動作不能なジェットは、弱いジェット、欠損ジェット、または、軸外のジェットを含んでよい。動作不能なジェットは、補正された動作可能なジェットを含んでよい。プリンタ１０は光センサ９８を利用して、画像受信表面２４上へ印刷されたインク滴に対応する画像データを生成してよい。光センサ９８は、インク画像の形成後およびニップ２８を介して回転する画像化ドラム１２の前にデータを生成して、インク画像を転写定着してよい。１つの実施形態において、光センサ９８は、個々の光検出器９８の線形アレイを含んでよい。検出器９８のアレイは、画像受信表面２４から反射される光を検出してよい。
【００５１】
個々の光検出器９８は、クロスプロセス方向において画像受信部材２２の表面２４上の１つの画素に対応する画像受信部材２２の領域を検出してよい。クロスプロセス方向は、プロセス方向に対して垂直である。光センサ９８は、画像受信表面２４から反射される光に対応する、反射データと称されるデジタルデータを生成してよい。コントローラ１６は、印字ヘッドアセンブリ３２および３４における動作不能１４ａインクジェット１４を特定してよい。例えば、コントローラ１６は、画像受信表面２４上で検出される反射値および印刷されたインク画像の所定の画像データを参照してよい。代替的な実施形態において、光センサ９８は、インク画像が印刷媒体４９上に形成した後、インク画像における欠陥を検出してよい。一部の実施形態において、センサ１８は、印字ヘッドアセンブリに配置される動作不能なインクジェット１４ａを特定してよい。動作不能なインクジェットを特定することに応答して、コントローラ１６は、動作不能１４ａインクジェット１４に対する発射信号の生成を停止してよい。例えば、５ビット符号化を使用して、コントローラ１６は、第１のビットを０へ変更してインクジェット１４への発射信号を中止してよい。コントローラ１６は、動作不能１４ａインクジェット１４に最も近い隣接するインクジェット１４に対する発射信号を生成または修正してよい。この手法において、プリンタ１０は、動作不能１４ａインクジェット１４を補正してよい。
【００５２】
プリンタ１０は、本明細書に記載されるプロセスを使用して動作不能１４ａインクジェット１４を補正してよい。しかし、プロセッサは、代替的なインクジェット１４の構成において動作不能１４ａインクジェット１４を補正してよい。例えば、図２におけるプリンタ１０は、位相変化インクの滴を排出してよい。代替的なプリンタの構成は、以下のような異なるインク種類を含んでよい：水性インク、溶剤型インク、ＵＶ硬化性インク、固形インクなど。これらのインクおよび類似のインクは、本明細書に記載されるプロセスを使用してよい。図２は、プリンタ１０をインダイレクトプリンタとして示しているが、インク滴を直接的に印刷媒体上へ排出するプリンタ（例えば、ダイレクトプリンタ１０）が、本明細書に記載されるプロセスを使用して動作してよい。
【００５３】
図１に戻ると、プロセスの重要部分は、印字ヘッド１２における動作不能１４ｂインクジェット１４を検出するコントローラ１６に関与する。本開示の実施形態において、検出は、印字ヘッド１２、３２、または３４を動作させて、欠損１４ａまたは動作不能１４ａインクジェット１４を検出するためにユーザが観察し得るテストパターンを印刷するコントローラ１６で実施され得る。その後、ユーザは、計算デバイス４のユーザインタフェースを操作して、欠損１４ａまたは動作不能１４ａインクジェット１４を特定するデータを入力する。コントローラ１６は、このデータを後のアクセスのためにメモリ６に保存してよい。テストパターンは、光をテストパターンの方へ向かわせ、光検出器９８（または、一般的にセンサ１８）により生成される電気信号を捉える、光センサ９８または他のセンサ１８を代替的に通過してよい。光センサ９８の応答は、光検出器９８が受けた反射光を記録してよい。コントローラ１６は、メモリ６に保存されるプログラム化された命令を実行し、画像データを分析して欠損１４ａまたは動作不能１４ａインクジェット１４を検出してよい。その後、コントローラ１６は、これらの画像データを処理してよい。電子記憶装置６は、インクジェット１４が動作不能１４ａまたは不良１４ａであることに関する結果を保存してよい。コントローラ１６は、後にメモリ６にアクセスして、データを特定する動作不能１４ａインクジェット１４を判定してよい。したがって、コントローラ１６は、画像データの前または後に動作不能１４ａインクジェット１４を検出してよい。したがって、コントローラ１６は、メモリ６にアクセスし画像をレンダリングして、任意の不良１４ａまたは動作不能ジェット１４ａを印刷（例えば、ビットマップを構築）および特定してよい。
【００５４】
コントローラ１６は、動作不能なインクジェットに留まる印刷不能インクのレベルにおける変化の割合を判定してよい。例えば、コントローラ１６は、主要な色の予期されるインク損失の割合を判定してよい。予期されるインク損失をインクジェットの実際のインク損失と比較することで、動作不能なインクジェットを特定してよい。コントローラ１６は、動作可能なインクジェットにおける印刷可能インクのレベルの変化の割合を判定して、動作不能なインクジェットを判定してよい。例えば、コントローラ１６は、動作可能なインクジェットにおけるインクの損失を動作不能なジェットと比較して、どのジェットが印刷不能であるか判定してよい。コントローラ１６は、閾値、割合、または測定基準を使用して、動作不能なインクジェットを判定してよい。コントローラ１６は、合成色または主要な色に対する予期される損失の割合による閾値に基づいてよい。コントローラ１６は、全てのインクジェットの平均を判定して、（例えば、閾値が平均の一定割合である）動作不能なインクジェットに対する閾値を判定してよい。
【００５５】
コントローラ１６は、ハーフトーン後のＩＪＣを評価してよい。一部の実施形態において、コントローラ１６は、動作不能なインクジェットに起因して印刷不能な滞留インクのレベルを再検討し、コントーン後またはハーフトーン後ＩＪＣを評価してよい。例えば、レンダリング後に光センサ９８が合成色（例えば、コントーンまたはハーフトーンのいずれか）における不十分な主要な色の補正を判定する場合、ＩＪＣはレンダリング後に適用されてよい。一部の実施形態において、ＩＪＣは、レンダリング前および後に適用して、適切な合成配色および色相を確実なものにしてよい。
【００５６】
図３は、共にプリンタフレームバッファまたは出力解像度のカラービットマップを備える、典型的には４個のＭ行Ｎ列の出力色平面のうちの１つを提示する。単一の動作不能なジェットに対応する３個の欠損ラスタは、列７、１７、および２７に描写される。これにより、各ジェットが３個のラスタをマーキングする役割を果たす１０ジェットインタレースを使用して、ページプリンタがエミュレートされる。これは、図４〜図１３に提示される３５×１８画素ビットマップの断片に合致し、各ジェットが役割を果たすラスタの数が異なるのみである、図１４〜図２５の顕微鏡写真に描写される出力を印刷するために使用される１０ジェットインタレースと比較可能である。顕微鏡写真で描写される印刷モードにおいて、各ジェットは、６個のラスタの役割を果たす。３個の欠損ラスタは、３個の重複しない１０列の欠損ラスタスワス３１０、３２０、および３３０に対応する。これらのスワスの各々は、ＩＪＣにより個別に処理される。参照３０２は、この単一の動作不能なジェットの例においてＩＪＣにより修正されない画素列を特定する。修正されたスワスを外れた未修正ラスタは、列０〜２および３２〜Ｎ−１を含む。欠損ラスタスワス内で、欠損ラスタは３１６：列７、３２６：列１７、および３３６：列２７である。スワス３１０における稼働中の「隣接」列３１４が修正され、欠損ラスタ３１６（ラスタ７）を補正してよい。この処理は、他の２つのスワス３２０および３３０において行われる類似の処理から独立していてよい。スワス３２０における隣接する列は、スワス３３０においてラベル化される（３２４および３３４）。図３において特定される列は、図４〜図１３における列に対応する。図３〜図１３は、３個の欠損ラスタ列７、１７、および２７の役割を果たす１つの動作不能なジェットを想定している。他の２７個の包括的な稼働列２〜３１は、画像濃度を向上させて３個の欠損列から失われた濃度を補正するよう修正された列を表す。
【００５７】
ビットマップが連続的なトーンである場合、画素値は共通して色チャネルごとに８ビットまたは画素ごとに３２ビットで、４個の主要な色を表す。出力デバイスが、バイナリと呼ばれることが多い２層の値の画素を予期する場合、ビットマップは、画素値を表すバイナリへ、出力色チャネルごとに１ビットまたは画素ごとに４ビットとしてハーフトーン化され、４個の主要な色を表してよい。本開示の例示的な実施形態において、ページを満たすために３個のドラム回転が必要な１０ジェットインタレースが想定される。この構成において、出力色平面における端部のない各ジェットが、ジェットに対するドラム回転ごとに１つのラスタをマーキングする３個のラスタへインクを排出しなければならない。
【００５８】
例として、図３が、シアン、マゼンタ、イエロー、および、ブラックインクを表す典型的な４個の出力色平面におけるシアン（Ｃ）を表すと想定し、かつ、他の３個の色平面における対応するラスタ列に他の重複する欠損ラスタまたは欠損ラスタスワスがないと想定すると、ＩＪＣプロセスが描写される色Ｃのインクジェットにのみ適用される場合、色Ｃは列７、１７、および２７において一般的に削減され、したがって、周囲のスワス列が増え、それにより、スワス濃度全体が保護されて、未処理の濃度と合致する。ＩＪＣは、列７、１７、および２７において色Ｃが所定の無視できるレベルまで削減される場合に、うまくいくのみである。欠損ラスタの近隣に必要な画像濃度が最大の修正可能な濃度より大きい場合、一般的に、ＩＪＣは欠損列において残留インクの必要とされる無視できるレベルに到達し得ない。ＩＪＣが機能しない場合のページの再レンダリングを回避するために、ＩＪＣ処理は、主要な色の画像濃度をプロセス全体で保護し、それにより、欠損ラスタにおける残留インクが修正された隣接ラスタで印刷される場合、濃度全体が保護される。
【００５９】
一部の事例において、Ｃが合成色から失われている場合、先行技術において行われるようにＩＪＣプロセスを色Ｃにのみ適用することにより、たとえ所定の無視できるインクレベルが欠損ラスタにおいて達成される場合でも、補正済および未補正の色平面の間の結果的に生じるドットプロファイルの差は、インクの密度が保護される場合さえ明らかな色相の変化に主に起因する意図されないアーチファクトをもたらし得るインク拡散の重複および混合の差をもたらす。代替的に、さらにＩＪＣが稼働する色平面における対応するラスタスワスへ適用される場合、修正された合成色におけるドットプロファイルは比較的に同じ傾向を維持し、濃度と共に色相を保護する。さらに、濃度はスワス全体で各主要な色の中に保護されるので、ＩＪＣ処理された稼働ラスタ７、１７、および２７における通常に印刷された残留インクは、最大のＩＪＣ修正可能な濃度を上回ってさえ、追加的な処理を必要とせずに、正確に意図される画像濃度の一因となり続ける。
【００６０】
図４〜図１３は、単一の動作不能なジェット色平面（例えば、列７、１７、および２７におけるシアン）を有するレンダリングされたハーフトーンのビットマップの列数０〜３４を含む、３５×１８の画素ビットマップ範囲（例えば、図３における１０ジェットインタレースで印刷される）を描写する。図４〜図１３は、ディザー化されたブルーの均一なフィールドを含み、所望の合成色を生成する。例示的な合成色は、同等なシアンおよびマゼンタ部分からなる。図４〜図１３は、動作不能な色平面のみ（例えば、シアンのみ）に適用されるＩＪＣのペア、および、動作不能な色平面と少なくとも１つの追加的な色平面との両方（例えば、シアンとマゼンタとの両方）に適用される修正されたＩＪＣ、を提示する。図４〜図１３は、例示的な実施形態でしかなく、以下により詳細に記述される。
【００６１】
図４Ａは、ビットマップの編集された第１および第２の地点である。図４Ｂは、Ｎスワス列（例えば、列４０２を含む）とＭ行（例えば、３０８）の４個の出力色平面１４を提示する。これらのラスタ位置は、出力解像度色ビットマップ（例えば、プリンタフレームバッファ）を備える。単一の動作不能なジェット１４に対応する３個のラスタ列３０４は、シアン１４ａ色平面の損失をもたらす。列４１６、４２６、および２３６は、この損失をシアン１４ａの欠落として図示する。このビットマップは、１０ジェットインタレースプリンタをエミュレートする。この例において、各ジェット１４は、以下の３個のラスタをマーキングする役割を果たす：４１４、４２４、および４３４。これにより、図４〜図１３に提示される３５×１８画素ビットマップの断片が生成される。プロセスは、図１４〜図２５の顕微鏡写真に記載される１０ジェットプリンタインタレースに類似している。図４〜図１３および図１４〜図２５の間の適正な差のみが、各ジェット１４が生成の役割を果たすラスタ３０２の数である。例えば、図１４〜図２５は、インクジェット１４が、詳細さが少ないと見なされる多くの画素を生成したため、より高い解像度を有する。
【００６２】
図１４〜図２５は、ページを印刷するために６個の印刷経路（例えば、ドラム解像度）を必要とする固形インクプリンタから生成された、印刷された合成色出力の例示的なカラー顕微鏡写真を図示する。この実施形態において、各インクジェットは６個のラスタ列を印刷する。この例では、出力は１０ジェットインタレースを使用して印刷され、図４〜図１３と比較可能な欠損ごとのラスタインク再分散を行った。
【００６３】
図１４〜図１７は、ディザー化された第２の合成色を描写する。合成色は、構成要素である同等の主要な色を使用して生成され、均一のフィールドを生成する。図４〜図１３と類似して、ＩＪＣの修正は、動作不能なジェットと関連付けられる動作不能な色平面に対してのみ行われる。一部の実施形態において、ＩＪＣの修正は、構成要素である主要な色の両方（例えば、インクジェット欠損を有する、または、有さない）に適用する。図１４〜図１７は、動作不能な色平面（例えば、シアン）にのみ適用されるＩＪＣのペア、および、動作不能な色平面および少なくとも１つの他の色平面（例えば、シアンおよびマゼンタ）に適用されるＩＪＣ、を提示する。具体的には、図１４〜図１７は、動作不能なマゼンタ色平面のインクジェットから取得されるレッド合成色の出力を図示する。図１８〜図２１は、動作不能なシアン色平面のインクジェットから取得されるグリーン合成色の出力を図示する。図２２〜図２５は、動作不能なシアン色平面のインクジェットから取得されるブルー合成色の出力を図示する。図１４〜図２５は、例示的な実施形態に過ぎず、以下にさらに詳細に記述される。
【００６４】
一部の実施形態において、動作可能な列における隣接するラスタは、欠損ラスタ３１６を補正してよい。この処理は、隣接するスワス３２０および３３０において行われる類似の処理と独立して先行してよい。図３における列は、図４〜図１３における列に対応する。例えば、図１４〜図２５を印刷するために使用された印字ヘッドは、１インチに６００ドットで約８．５”の幅のページを印刷するのに６個の解像度が必要であったため、主要な色平面ごとに約８５０ジェット、または、約３４００の個々にアドレス可能なインクジェットの同時噴出を有していた。図４〜図１３に記載される仮説上の３個の解像度６００ｄｐｉのプリンタにおける仮説上の印字ヘッドは、約６８００個の仮説上のジェットが必要となろう。図４〜図１３は、３個の欠損ラスタ列４１６、４２６、および２３６のための役割を果たす１個の動作不能な色平面ジェット１４（例えば、図４Ａにおいてシアン１４ａは動作不能）を想定する。他の２７個の動作可能なラスタ列は、画像濃度を向上させ欠損列４１６、４２６、および２３６から失った濃度を補正するよう修正されたラスタ列３０４を提示する。
【００６５】
ビットマップが連続するトーンである場合、画素値は共通して色チャネルごとに８ビットまたは画素ごとに３２ビットで、４個の主要な色を表す。例えば、８ビット符号化は、ハーフトーン（例えば、４色の各々に対する２層の符号化）に対応してよく、３２ビットはコントーン符号化（例えば、４色の各々に対する８層の符号化）に対応してよい。さらに典型的であるように、出力デバイスが、バイナリと呼ばれることが多い２層の値の画素を予期する場合、ビットマップは画素値を表すバイナリへ、出力色チャネルごとに１ビットまたは画素ごとに４ビットとしてハーフトーン化され、４個の主要な色を表してよい。本開示のこの例示的な実施形態において、ページを満たすために必要な３個のドラム解像度を有する１０ジェットインタレースが想定される。この構成において、出力色平面における各端部のないジェットは、ジェットごとのドラム解像度ごとに１個のラスタをマーキングする３個のラスタへインクを排出しなければならない。
【００６６】
例として、図４Ｂが典型的な４個の出力色平面（例えば、シアン、マゼンタ、イエロー、およびブラック）を表すと仮定し、さらに、他の色平面におけるラスタ列に対応する重複欠損ラスタまたは欠損ラスタスワスが他にないと仮定すると、ＩＪＣは動作不能な色平面１４ａ（例えば、シアン１４ａ）に適用されてよい。動作不能なシアン色インクジェットにのみ適用されるＩＪＣは、一般的に、列４１６、４２６、および２３６におけるシアンの濃度を削減してよい。それに応じて、この削減は、周囲のラスタ列において向上したシアン１４ａの濃度をもたらし、スワス３０６の濃度全体を一定に保ってよい。ＩＪＣの成功は、隣接するラスタ列（例えば、４１６、４２６、および２３６に隣接する）におけるシアン１４ａが所定の無視できるレベルまで削減されたかに依存してよい。隣接するラスタ列における欠損色平面の濃度が高すぎると、ＩＪＣプロセスは失敗する可能性がある。さらに、シアン１４ａの濃度が隣接するラスタ列における最大の修正可能な濃度を超える場合、ＩＪＣは欠損列における残留インクの必要なレベルに到達しない場合がある。ＩＪＣが失敗した際のページの再レンダリングを回避するために、ＩＪＣ処理は、主要な色の画像濃度をプロセス全体で一定に保つ。これにより、隣接するセルおよび全体の濃度を一定に保ちながら、隣接するセルにおける欠損ラスタおよび欠損ラスタにおける在留インクを印刷することが可能になる。
【００６７】
ＩＪＣプロセスを欠損色（例えば、シアン）のみに適用することで、色平面の間にドットプロファイルの差が生じる場合がある。欠損ラスタにおいて所定の無視できるインクレベルを達成したとしても、ドットプロファイルの差が生じる可能性がある。補正済および未補正の色平面は、意図されないアーチファクトをもたらすインク拡張の重複または混合の差を生じる場合がある。これは、明白な色相の変化に特に当てはまり、および、保持されたインクの割合に関わらず当てはまる。しかしながら、稼働中の色平面における対応するラスタスワスに適用されるＩＪＣは、修正された合成色におけるドットプロファイルを維持してよい。結果的に生じる合成色は、比較的に変化せず、色相および濃度を保持する傾向がある。さらに、濃度が保持されるので、正確な分配により意図する画像濃度がもたらされる。例えば、スワス全体において各主要な色は、ＩＪＣ処理された稼働ラスタ４１６、４２６、および２３６における残留インクを通常に印刷した際、正確に意図する画像濃度の一因となり続けてよい。これは、最大のＩＪＣ修正可能な濃度を超えたとしても当てはまる。さらに、この利点は追加的な処理コストをもたらさない。
【００６８】
図４〜図１３は、１つの欠損シアンジェットを包含するレンダリングおよびＩＪＣ後処理されたビットマップの３５×１８画素の範囲を描写する。これらの図に描写される３５×１８画素の範囲は、図４Ａおよび図４Ｂの図に対応する。図４〜図１３は、同等な部分のシアンおよびマゼンタからなるディザー化されたブルーの均一なフィールドを表す。例示的な実施形態は、第２の色を形成する主要な出力色の任意のペアを表してよい。各図における列４１６、４２６、および２３６は、動作不能な欠損シアンジェットに対応する。図４および図５は、３０％合成ブルー色を描写する。図６および図７は、５０％合成ブルー色を描写する。図８および図９は、５５％合成ブルー色を描写する。図１０および図１１は、８９％合成ブルー色を描写する。および、図１２および図１３は、９５％合成ブルー色を描写する。ラスタ列２〜３１は、３個のラスタスワス（参照番号４１０、４２０、および４３０）を包含する。各ラスタスワスは、動作不能なシアン１４ａのジェット（スワス列７、１７、および２７に対応する参照ラスタ列４１６、４２６、および２３６）を有する列を備える。ＩＪＣプロセスは、１つ以上のラスタを修正してよい。ＩＪＣプロセスは、ラスタ列０、１、３２、３３、および３４（スワス番号４０２における列）を修正しない。図４、図６、図８、図１０、および図１２は、欠損色（例えば、シアン１４ａ）にのみ適用されるＩＪＣプロセスを表す。図５、図７、図９、図１１、および図１３は、修正されたＩＪＣプロセスを欠損シアン１４ａのラスタ３０２（例えば、スワスラスタ群４１０、４２０、および４３０内で動作可能および動作不能なインクジェットに対応する欠損色）の両方へ適用する。
【００６９】
図５、図７、図９、図１１、および図１３は、欠損シアンラスタスワスおよび少なくとも１つの対応するシアンでないラスタスワス（例えば、スワスラスタ群４１０、４２０、および４３０内のシアンおよびマゼンタラスタの両方）に適用される修正されたＩＪＣプロセスを表す。前述のように、他の色ラスタは、修正されたＩＪＣプロセスを適用してよい。例えば、隣接するラスタ列は、欠損色ラスタの濃度に大きく対応する。例えば、欠損色の最大濃度まで合成色のための多くの色を印刷する。この例では、１０ジェットインタレースを使用する。最大スワス幅は、１０ジェットインタレースに対して１０列である。したがって、理論上の最大のＩＪＣ修正可能な断片的範囲は９０％である。
【００７０】
図６、図８、および図１０において、ＩＪＣプロセスは、孤立したシアンインク（ラスタ列７、１７、および２７の参照番号４１６、４２６、および２３６）を良好に再分配してよい。一部の実施形態において、隣接するスワス列は、隣接するスワス列内にシアンを再分配する（ラスタ列２〜６、８〜１６、１８〜２６、および２８〜３１の参照番号４１４、４２４、および４３４）。一部の実施形態において、ＩＪＣは、直接的に隣接するラスタ列の一因になるのみであってよいが、ＩＪＣは、スワスにおける任意のラスタ列の一因になってよい。動作不能なインクジェット１４ａは、列４１６、４２６、および２３６においてシアンインクを生じない。（図４〜図１３の各々における参照番号４１６、４２６、および２３６は、ラスタ列７、１７、および２７の欠損シアンを特定する）。しかしながら、マゼンタ１４ｂのインクジェットは、動作可能である。
【００７１】
マゼンタ１４ｂは欠損でないので、ＩＪＣはマゼンタ平面１４ｂを処理しない。したがって、欠損ラスタ列７、１７、および２７（参照番号４１４、４２６、および２３６に対応する）は、マゼンタのみを包含する。図１２は、９５％ブルーを備える合成色である。この濃度は、ＩＪＣの最大レベルを超える。したがって、ＩＪＣプロセスは、このレベルの合成ブルー濃度を訂正し得ない。その結果として、隣接するインクジェットは、一部のシアンを列４１６、４２６、および２３６内へ屈折させようとする可能性がある。
【００７２】
隣接するインクジェット１４は、大量のシアン１４ａインクを提供して、隣接するラスタ列における欠損シアン１４ａをオフセットしてよい。しかしながら、マゼンタが優位なままである。マゼンタのインクジェットは、動作可能に維持される。したがって、マゼンタは、欠損シアン列の「隙間」において突出する。シアンが不十分なことに起因する色混合および量の差により、アーチファクトおよび色相の差（例えば、インクの拡張）が最小になるようにする。しかしながら、マゼンタのドットプロファイルの割合は、これらの技術を圧倒してよい。修正されたスワス内でマゼンタのドットプロファイルは、ＩＪＣの処理済ラスタ列（参照番号４１０、４２０、および４３０、列番号２〜３１）およびＩＪＣの未処理ラスタ列（参照番号４０２、列番号０〜１および３２〜３４）の間のアーチファクトおよび色相の差を、増やす可能性がある。高いインク濃度および被覆率は、これらのアーチファクトを悪化させる可能性がある。
【００７３】
ＩＪＣの方法では、高いインク濃度エリアにおいて最大の修正可能レベルを削減して、画像または色相の歪曲を回避しようとする。ハーフトーン前、ラスタごとのコントーン、インク偏移、または、インク量の色修正は、一部の色相の差を減少させる可能性がある。しかしながら、これらの対策により複雑性が大きく増し、印刷の速度が低下し、または、未補正の色と異なる可能性がある。製品寿命における器具ごとの差は、これらの欠陥を悪化させる。
【００７４】
図５、図７、図９、図１１、および図１３に描写される本開示の実施形態において、修正されたＩＪＣプロセスは、ラスタにおける欠損シアンおよび一致する稼働マゼンタの両方へ適用する。修正されたＩＪＣプロセスをラスタにおいて未稼働および稼働中の色へ適用することで、シアンおよびマゼンタのドットプロファイルが正規化され、アーチファクトが削減され、画像全体の色相が良好に保たれる。修正されたＩＪＣプロセスをラスタにおいて未稼働および稼働中の色へ適用することで、合成色における欠損列の隙間が空になる傾向があり、最大の修正可能なレベルが増大するこれらの隙間内への良好なインク拡散が可能となる。
【００７５】
図１４〜図２５は、ＩＪＣのカラー顕微鏡写真を修正されたＩＪＣのカラー顕微鏡写真（例えば、プリンタ出力）と比較する。修正されたＩＪＣプロセスは、ＩＪＣを未稼働および稼働中の色（例えば、動作不能および動作可能なインクジェット）の両方へ適用する。図１４〜図２５は、１０ジェットインタレースおよび図４〜図１３のプロセスと類似のＩＪＣ処理を使用する。カラー顕微鏡写真は、図３〜図１３に使用される３個ではなく、ページを満たすために６個のスワスまたはドラム経路が必要であるという点で異なる。したがって、各動作不能なジェットは、３個の欠損ラスタ列ではなく６個に対応する。しかしながら、図１４〜図２５における各修正されたラスタの関連処理および結果は、図４〜図１３と直接的に関連する。
【００７６】
図１４〜図１７は、レッド合成色に対するプリンタ出力を図示する。欠損色はマゼンタ１４ｂである。図１８〜図２１は、グリーン合成色に対するプリンタ出力を図示する。欠損色はシアン１４ａである。図２２〜図２５は、ブルー合成色に対するプリンタ出力を図示する。動作不能な色はシアンである。
【００７７】
図１４、図１６、図１８、図２０、および図２２は、ラスタ列における欠損色にのみ適用されるＩＪＣプロセスに対応する。カラー顕微鏡写真において、ラスタ列における欠損色は垂直な縞として現れる。例えば、図１４は、８０％レッド合成色を図示する。図１６は、８８％レッド合成色を図示する。図１４および図１６は、垂直なイエローの縞を垂直方向に有する。縦の列１４２６および１６２６は、動作不能なマゼンタ１４ｂのインクジェット１４に対応するレッド合成色においてイエローで現れる。
【００７８】
図１８および図２０は、ＩＪＣのみを合成グリーンラスタ列３０４における欠損シアン１４ａ色へ適用する。図１８は、８０％グリーン合成色を図示する。図２０は、８８％グリーン合成色を図示する。図１８および図２０は、垂直なイエローの縞を含む。例えば、列１８２６および２０２６は、動作不能なシアン１４ａのインクジェット１４に対応するイエローで現れる。
【００７９】
図２２および図２４は、ＩＪＣのみを合成ブルーラスタ列３０４における欠損シアン１４ａ色へ適用する。図２２は８０％ブルー合成色を図示し、図２４は８８％ブルー合成色を図示する。図２２および図２４は、垂直なマゼンタの縞を備える。例えば、列２２２６および２４２６は、動作不能なシアン１４ａのインクジェット１４に対応するマゼンタ配色を有する。
【００８０】
図１５、図１７、図１９、図２１、図２３、および図２５は、修正されたＩＪＣプロセスをラスタ列３０４またはスワス３１０における動作不能１４ａおよび動作可能１４ｂインクジェット１４の色１４ａ〜１４ｄへ適用する利点を明示する。より具体的には、図１５および図１７は、動作不能なシアン１４ａのインクジェットで印刷されたレッド合成色を図示し、修正されたＩＪＣの利点を明示する。例えば、修正されたＩＪＣ方法で取得された図１５および図１７の縞（１５２６および１７２６）は、図１４および図１６の縞（１４２６および１６２６）と好都合に比較される。
【００８１】
図２３および図２５は、スワス３１０における動作不能なシアン１４ａのインクジェット１４で印刷されたブルー合成色を図示する。図２３および図２５は、修正されたＩＪＣプロセスの利点を明示する。修正されたＩＪＣプロセスは、シアン欠損ラスタ列および稼働中マゼンタ列の両方へ適用され、修正済および未修正エリアの間に同等な色相の差をもたらす。修正されたＩＪＣ処理は、アーチファクトを削減する。マゼンタの垂直な縞は、印刷画像の色相および濃度全体に影響を及ぼす。例えば、修正されたＩＪＣで取得される図２３および図２５の縞（２３２６および２５２６）は、図２２および図２４の縞（２２２６および２４２６）と好都合に比較される。
【００８２】
図１５、図１７、図１９、図２１、図２３、および図２５は、修正されたＩＪＣプロセスが色相、色濃度、および、欠損および隣接するラスタ位置の画像化の特徴を向上させることを明示する。結果的に生じる画像は、色濃度がより均一であり、縞が最小化され、色相の差が同等化される。
【００８３】
修正されたＩＪＣは、スワスにおける隣接する画素列（ラスタ）からのインクが、より均一および完全に欠損ラスタの隙間内へ拡散することを許容してよい。修正されたＩＪＣは、所望なインクの拡散をもたらしてよい。主要な色および隣接する色の両方へ適用される修正されたＩＪＣにより、意図される色からの逸脱が減少する可能性がある。プリンタの寿命全体で一貫性が向上することにより、減少した色の相違に起因する結果が生じる。プリンタの色の変動に対する主要な色およびプリンタの品質制御により、色の相違が大幅に減少する。プロセスは、製品寿命全体で色の一貫性が向上する結果をもたらしてよい。
【００８４】
インク拡散プロセスは、印刷画像においてインクを拡散しようと試みる。追加的な量、逸脱した隣接するインクジェット、および、物理的な拡散は、欠損色、欠損ラスタ、または欠損ラスタの隙間のインク浸透を取得するよう処理される。例えば、物理的な拡散は、２つのローラの間のインクを（例えば、ニップで）拡散してよい。インク滴は、欠損ラスタまたは隙間内へ広がってよい。インク滴の量が増えると、そのような拡散が結果的に生じてよく、または、高まってよい。隣接する動作可能なインクジェットから欠損する隙間内へインクを逸脱させようとすることで、欠損色におけるインク浸透を向上させるよう試みる。
【００８５】
インク滴拡散プロセスは、隙間における隣接するインクジェットからのインク浸透を拡散することを含む。インク滴の拡散は、欠損インク滴を逸脱させること、噴出されたインク滴を物理的に拡散すること、より多量の欠損インク滴を隣接するインクジェットにおいて噴出すること（例えば、コントーンまたはハーフトーン）、および／または、隙間を欠損インクで浸透させるための他の方法を含んでよい。これらのプロセスは、欠損ラスタの隙間を補正された欠損インクで満たすよう試みる。
【００８６】
隣接するドット利得効果は、合成色の隣接する噴出されたインク部分を不完全なインクジェットに対応する隙間内へ移動させる傾向がある。この利得を取得するために、隣接インクは、動作不能なインクジェットがインクを排出するエリアに十分に近い場所へ排出されるべきである。主要な色を混合することで、ドット利得効果が向上する。結果として、コントローラ１６は、他の色のインク滴の隣接するインクジェットからの排出を実施してよい。例えば、コントローラ１６は、第１の色および第２の色を、動作不能なインクジェットが所望の合成色に対応する少なくとも１つのインク滴色を排出できなかった欠損画素位置からの距離で排出してよい。
【００８７】
中間印刷プロセスは、インクを隙間内へ向かわせるニップに遭遇する前に、ドット利得効果を取得してよい。インク質量は、離型剤層に移ってよい。一部のドット利得効果は、機械的な圧力がドット利得効果を促進させる転写定着ローラニップの前に起こってよい。同じ印字ヘッドから排出される一致するインク滴が現れ、インクの離型剤層への移動が容易になる。一致するインク滴は、離型剤層のインクの量を増加させ、したがって、インクの浸透が向上する。さらに、一致するインク滴は、インク色の薄まった知覚性を容易にしてよい。一部の実施形態において、同じ印字ヘッドのインクジェットは、既に排出されたインク滴の上または近くに沈着する一致するインク滴を排出する。既に排出されたインク滴は、共通の列を一致するインク滴と共有してよい。配列により、固形化（例えば、一致するインクおよび既に排出されたインク）の前の異なるインク滴の合体または混合が容易になる。インクは、異なる色を有してよい。良好に混合されたインク滴は、重い合成列ストリング内へ合体し、合成色の隣接する列内へ移動および拡散する傾向がある。したがって、混合されたインク滴は、合成色の隣接するインク列を欠損の隙間内へ動作不能なジェット１４からより効率的に押し込むことが可能である。
【００８８】
本明細書に開示される方法は、本方法を行うために命令および関連する回路で構成されるプロセッサにより実装されてよい。したがって、そのような命令を図１に示されるプリンタ１０内でコンピュータ可読媒体６に保存することは、記載される方法を行うためにシステムの１つ以上のコントローラ１６を構成してよい。
【００８９】
一部の実施形態において、ＩＪＣが成功するための１つのチェックのみが、ハーフトーン後に行われる。例えば、ハーフトーン後のＩＪＣは、組み合わされたハーフトーン前後のＩＪＣの失敗により、失敗する可能性がある。言い換えれば、ハーフトーン前（コントーンドメイン）のＩＪＣの利点があったとしても、動作不能なジェット補正は失敗する場合がある。ハーフトーン前のＩＪＣは、残留する孤立したインクを提供するよう作用してよい。一部の実施形態において、ハーフトーン後（バイナリ）のＩＪＣは、ハーフトーン前のＩＪＣインクを再配置することに成功してよい。修正されたＩＪＣは、動作可能または動作不能な孤立したインクの位置に影響を及ぼしてよい。上述されたように、この修正された位置決めは、最終的な印刷された合成色の測色または色相を向上させる可能性がある。
【図１】
2017013495.tif 000002
【図２】
2017013495.tif 000003
【図３】
2017013495.tif 000004
【図４Ａ】
2017013495.tif 000005
【図４Ｂ】
2017013495.tif 000006
【図５】
2017013495.tif 000007
【図６】
2017013495.tif 000008
【図７】
2017013495.tif 000009
【図８】
2017013495.tif 000010
【図９】
2017013495.tif 000011
【図１０】
2017013495.tif 000012
【図１１】
2017013495.tif 000013
【図１２】
2017013495.tif 000014
【図１３】
2017013495.tif 000015
【図１４】
2017013495.tif 000016
【図１５】
2017013495.tif 000017
【図１６】
2017013495.tif 000018
【図１７】
2017013495.tif 000019
【図１８】
2017013495.tif 000020
【図１９】
2017013495.tif 000021
【図２０】
2017013495.tif 000022
【図２１】
2017013495.tif 000023
【図２２】
2017013495.tif 000024
【図２３】
2017013495.tif 000025
【図２４】
2017013495.tif 000026
【図２５】
2017013495.tif 000027